(57)【要約】      （修正有）【課題】冷却効果が大きく、長時間継続して使用することが可能なランプ光源装置。【解決手段】放電ランプと、この放電ランプの周囲を一定方向に光を反射するリフレクタと、このリフレクタの開口端に設け光を導く光放出開口部と、この光放出開口部の周囲を覆うメッシュ状の開口部と、該リフレクタとメッシュ状開口部で囲まれた空間を密閉空間にするとともに光放出開口部を塞ぐように設けた透明保護板と、前記メッシュ状の開口部から前記密閉空間に冷却風を封入する第１のファンと、この第１の冷却ファンの吸気口を覆うエアーフィルタと、前記リフレクタの外周を冷却する第２の冷却ファンとを有することを特徴とする。これらによって、ランプ光源装置のリフレクタに塵芥を付着させずにエアーフィルタに付着する塵埃を容易に除去することが可能となる。【選択図】図１
2006011337.tif 000002
【特許請求の範囲】
【請求項１】
放電ランプと、この放電ランプの周囲を放物状に囲み一定方向に光を反射するリフレクタと、このリフレクタの開口端に設け光を導く光放出開口部と、この光放出開口部の周囲を覆うメッシュ状開口部と、該リフレクタとメッシュ状開口部で囲まれた空間を密閉空間にするとともに光放出開口部を塞ぐように設けた透明保護板と、前記メッシュ状開口部から前記空間に冷却風を封入する第１のファンと、この第１のファンの吸気口を覆うエアーフィルタと、前記リフレクタの外周を冷却する第２のファンとを有することを特徴とするランプ光源装置。
【請求項２】
前記メッシュ状開口部には、前記第１のファンからの冷却風が、前記リフレクタ内部のリフレクタ内部の表面に沿って流れるように設けられた導風板を有することを特徴とする請求項１記載のランプ光源装置。
【請求項３】
前記第１のファンはシロッコファンであることを特長とする請求項１記載のランプ光源装置。
【請求項４】
前記エアーフィルタは、この第１のファンの吸気口に着脱可能に保持固定されることを特長とする請求項１記載のランプ光源装置。
【発明の詳細な説明】
【技術分野】
【０００１】本発明は、ランプ光源装置、特にフロント型プロジェクタ、あるいはリアー型プロジェクタに用いるランプ光源装置に関する技術である。
【背景技術】
【０００２】通常、高圧水銀灯などからなる放電ランプが破損した場合、その放電ランプのガラス破片がガラス材から出来ているリフレクタを直撃し、このリフレクタに強い衝撃が加わり、さらにリフレクタが破損して、その破損破片が匡体内に飛散する場合がある。これらの問題を解決するためには、リフレクタのガラス母材として、衝撃に対して高強度な結晶化ガラスを用いることが考えられるが、このような高強度な結晶化ガラスは高価でありコスト増を招く。また、反射鏡のガラス素材を厚く構成することも考えられるが、高厚膜の反射鏡を成型するには使用するガラス材の量も多くなり、また成型、加工が難しく、やはりコスト増となる。更に、ガラス素材が厚くなると熱に対する歪に弱く、壊れやすい構造となってしまう。【０００３】特に、リア型プロジェクタ装置では、本装置をテレビジョン受像機として用いられることが多いと想定されるため、通常のフロント型プロジェクタに比べ稼動時間が長く、放電ランプの放熱の問題や放電ランプの破壊／破損に対するさらなる対策が望まれている。【０００４】
【特許文献１】特開平１０−２５４０６１
【特許文献２】特開２００１−１２５１９５
【特許文献３】特開平８−２０１９１７
【発明の開示】
【発明が解決しようとする課題】
【０００５】前記の技術文献１では、ランプ光源装置の前面開口部に区画室を設け、該区画室の一部に通風口となる開口部を設け、さらにこの開口部に金属メッシュが装着されている。しかし、この金属メッシュは数ミリから数ミクロンとしているために該金属メッシュは冷却ファンからの空気が汚れていると目詰まりがおきて冷却効果が落ちると言う欠点がある。【０００６】また、前記技術文献２では、前記ランプ光源装置の前面開口部の一部から冷却ファンにより冷却用の空気を、導風路を通してランプ内に強制的に送り、発光管を冷却するとともに通風吹出し口や冷却風排風穴を金属メッシュ等で覆い、発光管が破裂したときに生じる破片の飛散を防止している。両技術文献ともランプ光源装置のリフレクタに網を設けて、ランプの破片が飛散することを防止する技術が開示されている。【０００７】しかしながら、このような構造とした場合でも、例えばリア型プロジェクタ装置のランプ光源装置として使用した場合、放電ランプの使用時間（点灯時間）が長く、よって放電ランプが破損する可能性が非常に高くなる。また、リア型プロジェクタ装置は主に家庭内でテレビジョン装置として使用されることが多いことが想定されるため、このランプ光源装置の破損に伴う破片の飛散防止と、さらに機器の完全を防止することが望まれる。これらの問題を解決するための最も簡単な方法は、ランプ光源装置を覆うメッシュ状の網をより細かいものを用いることである。しかしながら、細かいメッシュ状の網を用いると、冷却風に含まれる塵埃によって目詰まりが発生し、冷却効果が低減されてしまう。【０００８】技術文献３では、フィルタを用いて本体に吸入する外気からの塵埃を除去する技術が示されている。しかしながら、この技術文献３にも示されているように、このフィルタ自体に塵埃が付着しやいという問題があった。本発明では、放電ランプの放熱効率を高くし、放電ランプから発せられた熱を効率よく外部に放出すると共に、放電ランプや反射鏡が破損しても外部に飛散しない安全なランプ光源装置を提供するものである。
【課題を解決するための手段】
【０００９】上記課題を解決するため本発明では、放電ランプとこの放電ランプの周囲を放物状に囲み一定方向に光を反射するリフレクタと、このリフレクタの開口端に設け光を導く光放出開口部と、この光放出開口部の周囲を覆うメッシュ状開口部と、該リフレクタで囲まれた空間を密閉空間にするとともに光放出開口部を塞ぐように設けた透明保護板と、前記メッシュ状開口部から前記空間に冷却風をに導入する第１のファンと、この第１のファンの吸気口に設けたエアーフィルタと、前記リフレクタの外周を冷却するための第２のファンとを有することを特徴とするランプ光源装置である。【００１０】請求項２では前記メッシュ状開口部には、前記第１のファンからの冷却風が、前記リフレクタ内部のリフレクタの表面に沿って流れるように導風板を設けたことを特徴とするランプ光源装置であり、請求項３では前記第１のファンはシロッコファンであることを特長とする請求項１記載のランプ光源装置であり、請求項４では前記エアーフィルタを第１のファンの吸気口に着脱可能に保持固定されることを特長とする請求項１記載のランプ光源装置であることを特長とする。これらによって、ランプ光源装置のリフレクタに塵芥を付着させずにエアーフィルタに付着する塵埃を容易に除去することが可能となる。
【発明の効果】
【００１１】本発明によれば、放電ランプの冷却風導入開口をより細かなメッシュ状の防護膜で覆うことにより、なんらかの原因で放電ランプが破壊しても、その破片が外部に飛散することが無くなると共に、リフレクタの外周を冷却する第２のファンと、前述のメッシュ状開口部を通してリフレクタの内部を冷却する第１のファンとを独立に設けることによって、リフレクタ内部への塵埃の封入量をより軽減することが可能となる。さらに、リフレクタ内部を冷却する第１のファンの吸入口にエアーフィルタを設けることによって、リフレクタ内部への塵埃の封入量をより軽減することが可能となる。【００１２】ランプ光源装置の冷却ファンをランプ光源装置の内部冷却用の第１のファンと、外部冷却用の第２のファンとに独立に設けることにより、より多くの冷気を用いてリフレクタの外周を冷却することができる。第２のファンはリフレクタの外部冷却用であるのでエアーフィルタを設けなくてよいため、このエアーフィルタへの塵埃の付着量は少なくなり、原価低減にも寄与する。
【発明を実施するための最良の形態】
【００１３】以下、本発明を実施するための最良の形態について、プロジェクタ装置用のランプ光源装置を例にして図面を参照して詳細に説明する。
【実施例】
【００１４】図１は、本発明のランプ光源装置の横断面図であり、図２は、本発明のランプ光源装置の正面図であり、図３は、第２の実施例に係るランプ光源装置の横断面図である。図１のランプ光源装置１において、横断面略砲弾型のリフレクタ３の先端部には放電ランプ２の一方の電極によって放電ランプを固定している。放電ランプ２の他方の電極６はリフレクタ３の外周の一部に空けた電極穴からリフレクタ３の外部に導出し電源に接続される。【００１５】リフレクタ３の開放部円周にはメッシュ状開口部４を設け、さらにその外側には放電ランプ２が何らかの原因で破損したときに、リフレクタ３の外部に破片が飛び散り、機器の他の部分に飛散し機器の他の部分を損傷しないように透明保護板５で覆い放電ランプ内部を密閉した形としている。放電ランプ２から放出された光はコールドミラーと称され可視光線のみが反射される素材で出来ているリフレクタ３で反射され、光束となって透明保護板５を透過した後、ライトトンネル等の光束処理装置（図示せず）に送られる。【００１６】一方、リフレクタ３の開口部に設けた細かいメッシュ状開口部４は、メッシュ状開口部４の円周の全部あるいは一部をメッシュ状の網で覆い、さらにそのメッシュ状開口部４の一部から第１の内部冷却用のファン１１によりリフレクタ３の内部に冷却用の空気を封入している。内部冷却用の第１のファン１１はランプ内部を冷却すれば良いので、風量はそれほど大きくなくてよい。リフレクタ３の内部を冷却し熱せられた空気は、メッシュ状開口部４の他の部分からリフレクタ３の外部に放出される。【００１７】ランプ光源装置１と内部冷却用の第１のファン１１の正面図を図２に示す。図でも明らかなように内部冷却用の第１のファン１１の空気取入れ口には、リフレクタ３の内部に塵芥が入らないようにフィルタ１２で塵芥を遮断している。フィルタ１２は着脱可能なように装備され、時々取外して掃除することが望ましい。また内部冷却用の第１のファン１１のフィルタ１２は風量が比較的小さくて良いので、防塵密度の細かいフィルタであることがが好ましい。さらに、このフィルタ１２は図２では１段しかないが、２段あるいはそれ以上に構成しても構わない。【００１８】他方、ランプ光源装置１のリフレクタ３は相当熱くなるので、リフレクタ外部を冷却する必要がある。リフレクタを外部から冷却するため第２のファン２１にて冷却する。この第２の外部冷却用のファン２１はランプの光源に対する光束とは関係がないので、塵芥に対してはあまり注意を必要とせず、通常の冷却ファンで十分である。尚、ランプ光源装置１の全体は、リフレクタが破損したときにその破片が機器内に飛散するのを防止するために飛散防止用の網で覆っているが図には示されていない。【００１９】図３は図１の他の実施例である。図では第１のファン１１のランプ内部へ導風するために導風板２２を設けている。該導風板２２の作用により、第１のファン１１の風は導風版２２により放電ランプ２の方向に誘導され、放電ランプ２の冷却効率を高めている。【００２０】尚、図１、図３において、放電ランプ２から発せられた光はリフレクタ３の設計された焦点にしたがって集束されるが、この時リフレクタ３での集束角度が約６０度以内の光がプロジェクションの投影角度に寄与する割合が極めて多いことが実験で確かめられており、６０度から外側の光はプロジェクション投影画像の投影の明るさに余り寄与しないことが確認されているため、この６０度以内の位置に光を遮るものが無いように設計されている。【００２１】以上本発明の最適な実施例を述べた。本発明は、上述の実施例に限定されるものではなく、特に放電ランプの冷却用の第１および第２のファンの位置、大きさ、風量、導風板の大きさ、角度など図に限定されるものではない。
【産業上の利用可能性】
【００２２】本発明によるランプ光源装置は、冷却効果が高いのでプロジェクション動作を長時間継続して行うことが可能であり、リア方プロジェクション装置のテレビジョン装置などに用いるのに最適である。
【図面の簡単な説明】
【００２３】
【図１】は、本発明のランプ光源装置の横断面図である。
【図２】は、本発明のランプ光源装置の正面図である。
【図３】は、第２の実施例に係るランプ光源装置の横断面図である。
【符号の説明】
【００２４】１は、ランプ光源装置２は、放電ランプ３は、リフレクタ４は、開口部５は、透明保護板６は、放電ランプの電極１１は、内部冷却用の第１のファン１２は、着脱可能なフィルタ２１は、外部冷却用の第２のファン２２は、導風板
【図１】
2006011337.tif 000003
【図２】
2006011337.tif 000004
【図３】
2006011337.tif 000005